【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
内部空洞を画定し、前記ゴルフクラブヘッドの下部に配設されるソールと、頂部に配設されるクラウンと、前記ソールと前記クラウンとの間の外面周辺に配設されるスカートとを備えるボディであって、前部と後部を有するボディと、
前記ボディの前記前部に配設されるフェースであって、前記ゴルフクラブヘッドの基点を画定する、理想的なインパクト位置を有し、前記ヘッドの基点は、前記ヘッドが理想的に配設されるとき、前記フェースに接線方向であり、地面に略平行のｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースと、
を備え、
前記ゴルフクラブヘッドは、約５００ｋｇ／ｍｍ２より大きい、前記ヘッドの基点ｚ軸に略平行の、前記ゴルフクラブヘッドの重心ｚ軸周囲に、慣性モーメントを有し、
前記ゴルフクラブヘッドの重心ｚ軸周囲の、前記慣性モーメントに対する、前記基点ｘ軸に略平行の、前記ゴルフクラブヘッドの重心ｘ軸周囲の、慣性モーメントの比率は、約０．７より大きい、ことを特徴とするゴルフクラブヘッド。
【請求項２】
前記ゴルフクラブヘッドの重心ｚ軸周囲の、前記性モーメントに対する、前記ゴルフクラブヘッドの重心ｘ軸周囲の、前記慣性モーメントの比率は、約０．８より大きいことを特徴とする請求項１に記載のゴルフクラブヘッド。
【請求項３】
前記ゴルフクラブヘッドの重心ｘ軸周囲の、前記慣性モーメントは、約３３０ｋｇ／ｍｍ２から約５５０ｋｇ／ｍｍ２であることを特徴とする請求項１に記載のゴルフクラブヘッド。
【請求項４】
前記ボディ内に形成される、少なくとも第１、および第２の質量要素をさらに備え、前記第１の質量要素は、約３ｇから約２３ｇの質量を有し、前記第２の質量要素は、約２５ｇから約３５ｇの質量を有し、
前記第１の質量要素は、約３５ｍｍから約６５ｍｍの、ヘッドの基点ｘ軸座標と、約０ｍｍから約３０ｍｍの、ヘッドの基点ｙ軸座標と、約−２０ｍｍから約１０ｍｍの、ヘッドの基点ｚ軸座標とを有し、
前記第２の質量要素は、約−２０ｍｍから約１０ｍｍの、ヘッドの基点ｘ軸座標と、約９０ｍｍから約１２０ｍｍの、ヘッドの基点ｙ軸座標と、約−２０ｍｍから約１０ｍｍの、ヘッドの基点ｚ軸座標とを有することを特徴とする請求項１に記載のゴルフクラブヘッド。
【請求項５】
前記ゴルフクラブヘッドの体積は、約４２０ｃｍ３から４８０ｃｍ３であることを特徴とする請求項１に記載のゴルフクラブヘッド。
【請求項６】
前記ソールと、スカートと、クラウンは、約０．５５ｍｍから、約０．８ｍｍの厚さを有する壁から構成されることを特徴とする請求項１に記載のゴルフクラブヘッド。
【請求項７】
前記スカート、およびクラウンの前記壁は、約０．６５ｍｍの厚さを有することを特徴とする請求項７に記載のゴルフクラブヘッド。
【請求項８】
前記ボディは、複合材料から構成されることを特徴とする請求項１に記載のゴルフクラブヘッド。
【請求項９】
前記フェースは、複合材料から構成されることを特徴とする請求項１に記載のゴルフクラブヘッド。
【請求項１０】
前記フェースは、変厚を有することを特徴とする請求項１に記載のゴルフクラブヘッド。
【請求項１１】
ゴルフクラブヘッドであって、
内部空洞を画定し、前記ゴルフクラブヘッドの下部に配設されるソールと、頂部に配設されるクラウンと、前記ソールとクラウンとの間の外面周辺に配設されるスカートとを備えるボディであって、前部と後部を有するボディと、
前記ボディの前記前部に配設されるフェースであって、前記ゴルフクラブヘッドの基点を画定する、理想的なインパクト位置を有し、前記ヘッドの基点は、前記ヘッドが理想的に配設されるとき、前記フェースに接線方向であり、地面に略平行のｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースと、
を備え、
前記ヘッドの基点ｚ軸に略平行の、前記ゴルフクラブヘッドの重心ｚ軸周囲の、慣性モーメントに対する、前記基点ｘ軸に略平行の、前記ゴルフクラブヘッドの重心ｘ軸周囲の、慣性モーメントの比率は、約０．８より大きい、ことを特徴とするゴルフクラブヘッド。
【請求項１２】
前記ゴルフクラブヘッドの重心ｚ軸周囲の、前記慣性モーメントは、約５００ｋｇ／ｍｍ２から約６００ｋｇ／ｍｍ２であることを特徴とする請求項１１に記載のゴルフクラブヘッド。
【請求項１３】
前記ゴルフクラブヘッドの重心ｘ軸周囲の、前記慣性モーメントは、約４２５ｋｇ／ｍｍ２から約５２５ｋｇ／ｍｍ２であることを特徴とする請求項１１に記載のゴルフクラブヘッド。
【請求項１４】
前記ボディ内に形成される、少なくとも第１、および第２の質量要素をさらに備え、前記第１の質量要素は、約３ｇから約２３ｇの質量を有し、前記第２の質量要素は、約１０ｇから約３０ｇの質量を有し、
前記第１の質量要素は、約３５ｍｍから約６５ｍｍの、ヘッドの基点ｘ軸座標と、約１０ｍｍから約４０ｍｍの、ヘッドの基点ｙ軸座標と、約−２５ｍｍから約５ｍｍの、ヘッドの基点ｚ軸座標とを有し、
前記第２の質量要素は、約−１５ｍｍから約１５ｍｍの、ヘッドの基点ｘ軸座標と、約９０ｍｍから約１２０ｍｍの、ヘッドの基点ｙ軸座標と、約−２０ｍｍから約１０ｍｍの、ヘッドの基点ｚ軸座標とを有することを特徴とする請求項１１に記載のゴルフクラブヘッド。
【請求項１５】
ゴルフクラブヘッドであって、
内部空洞を画定し、前記ゴルフクラブヘッドの下部に配設されるソールと、頂部に配設されるクラウンと、前記ソールとクラウンとの間の外面周辺に配設されるスカートとを備えるボディであって、前部と後部を有するボディと、
前記ボディの前記前部に配設されるフェースであって、前記ゴルフクラブヘッドの基点を画定する、理想的なインパクト位置を有し、前記ヘッドの基点は、前記ヘッドが理想的に配設されるとき、前記フェースに接線方向であり、地面に略平行のｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースと、
前記ボディ内に形成される、少なくとも第１、および第２の質量要素であって、前記第１の質量要素は、約３ｇから約２３ｇの質量を有し、前記第２の質量要素は、約５ｇから約２５ｇの質量を有し、（１）前記第１の質量要素は、約３５ｍｍから約６５ｍｍの、ヘッドの基点ｘ軸座標と、約１０ｍｍから約４０ｍｍのｙ軸座標と、約−１５ｍｍから約５ｍｍのｚ軸座標とを有し、（２）前記第２の質量要素は、約−１５ｍｍから約１５ｍｍの、ヘッドの基点ｘ軸座標と、約９５ｍｍから約１２５ｍｍの、ヘッドの基点ｙ軸座標と、約−３０ｍｍから約０ｍｍの、ヘッドの基点ｚ軸座標とを有する、少なくとも第１、および第２の質量要素と、
を備え、
前記ゴルフクラブヘッドは、約５００ｋｇ／ｍｍ２より大きい、前記ヘッドの基点ｚ軸に略平行の、前記ゴルフクラブヘッドの重心ｚ軸周囲に、慣性モーメントを有し、
前記ゴルフクラブヘッドの重心ｚ軸周囲の、前記慣性モーメントに対する、前記基点ｘ軸に略平行の、前記ゴルフクラブヘッドの重心ｘ軸周囲の慣性モーメントの比率は、約０．６より大きいことを特徴とするゴルフクラブヘッド。
【請求項１６】
前記ゴルフクラブヘッドの重心ｚ軸周囲の、前記慣性モーメントに対する、前記ゴルフクラブヘッドの重心ｘ軸周囲の、前記慣性モーメントの比率は、約０．７より大きいことを特徴とする請求項１５に記載のゴルフクラブヘッド。
【請求項１７】
前記ゴルフクラブヘッドの重心ｚ軸周囲の、前記慣性モーメントに対する、前記ゴルフクラブヘッドの重心ｘ軸周囲の、前記慣性モーメントの比率は、約０．８より大きいことを特徴とする請求項１５に記載のゴルフクラブヘッド。
【請求項１８】
前記ゴルフクラブヘッドの重心ｘ軸周囲の、前記慣性モーメントは、約３３０ｋｇ／ｍｍ２から約５５０ｋｇ／ｍｍ２であることを特徴とする請求項１５に記載のゴルフクラブヘッド。
【請求項１９】
ゴルフクラブヘッドであって、
内部空洞を画定し、前記ゴルフクラブヘッドの下部に配設されるソールと、頂部に配設されるクラウンと、前記ソールとクラウンとの間の外面周辺に配設されるスカートとを備えるボディであって、前部と後部を有するボディと、
前記ボディの前記前部に配設されるフェースであって、前記ゴルフクラブヘッドの基点を画定する、理想的なインパクト位置を有し、前記ヘッドの基点は、前記ヘッドが理想的に配設されるとき、前記フェースに接線方向であり、地面に略平行のｘ軸と、前記ヘッドが理想的に配設されるとき、前記ｘ軸に略垂直であり、地面に略平行であるｙ軸と、前記ｘ軸と、前記ｙ軸との両方に垂直であるｚ軸とを含むフェースと、
前記ボディ内に形成される、少なくとも第１のヒール質量要素と、第２のリア質量要素であって、前記第１のヒール質量要素は、約５ｇから約２５ｇの質量を有し、前記第２の質量要素は、約１０ｇから約３０ｇの質量を有し、前記第１のヒール質量要素は、約３５ｍｍから約６５ｍｍの、ヘッドの基点ｘ軸座標と、約１０ｍｍから約４０ｍｍのｙ軸座標と、約０ｍｍから約２０ｍｍのｚ軸座標とを有し、前記第２のリア質量要素は、約−２５ｍｍから約５ｍｍの、ヘッドの基点ｘ軸座標と、約９０ｍｍから約１２０ｍｍのｙ軸座標と、約−５ｍｍから約２５ｍｍのｚ軸座標とを有する、少なくとも第１のヒール質量要素と、第２のリア質量要素と、
を備えることを特徴とするゴルフクラブヘッド。
【請求項２０】
前記第１のヒール質量要素は、約１０ｇから約１８ｇの質量を有し、前記第２のリア質量要素は、約１７ｇから約２５ｇの質量を有することを特徴とする請求項１９に記載のゴルフクラブヘッド。
【請求項２１】
前記第１のヒール質量要素は、約４７ｍｍから約５９ｍｍの、ヘッドの基点ｘ軸座標と、約１７ｍｍから約３５ｍｍのｙ軸座標と、約３ｍｍから約１１ｍｍのｚ軸座標とを有し、前記第２のリア質量要素は、約−１４ｍｍから約−６ｍｍの、ヘッドの基点ｘ軸座標と、約１０４ｍｍから約１１４ｍｍのｙ軸座標と、約５ｍｍから約１５ｍｍのｚ軸座標とを有することを特徴とする請求項１９に記載のゴルフクラブヘッド。
【請求項２２】
前記基点ｚ軸に平行の、ゴルフクラブヘッドの重心ｚ軸周囲の、慣性モーメントに対する、前記基点ｘ軸に略平行の、ゴルフクラブヘッドの重心ｘ軸周囲の、慣性モーメントの比率は、約０．６より大きいことを特徴とする請求項１９に記載のゴルフクラブヘッド。
【請求項２３】
前記ヘッドの基点ｚ軸に略平行の、ゴルフクラブヘッドの重心ｚ軸周囲の、慣性モーメントは、約５００ｋｇ／ｍｍ２であることを特徴とする請求項１９に記載のゴルフクラブヘッド。
【請求項２４】
ゴルフクラブヘッドの重心ｘ軸周囲の、慣性モーメントは、約３３０ｋｇ／ｍｍ２より大きいことを特徴とする請求項１９に記載のゴルフクラブヘッド。